(57)【要約】      （修正有）【課題】乳がん摘出手術を受けた患者の術後の創部の痛みを増幅させない乳房摘出術後ブラジャーを提供する。【解決手段】柔軟性、伸縮性の衣料生地で縫製加工され、乳房摘出手術を受けた患者の、健在乳房と摘出された胸を覆うカップ部と、カップ部内面に義乳房パッドの収納可能と、左右カップ部外脇に装脱着を可能とした挿入口を兼ね備えたカップ部を有する乳房摘出術後ブラジャーであって、左右対称のカップ部内面に義乳房パッドを収納し得る、ポケット挿入口をカップ部の外側に有する。【選択図】図１
0003229523.tif 000002
【実用新案登録請求の範囲】
【請求項１】
乳房摘出手術を受けた患者の、健在乳房と摘出された胸を覆うカップ部と、カップ部内面に義乳房パッドの収納可能と、左右カップ部外脇に装脱着を可能とした挿入口を兼ね備えたカップ部を特徴とする乳房摘出術後ブラジャー。
【請求項２】
前記左右対称のカップ部内面に前記義乳房パッドを収納し得る、ポケット挿入口をカップ部の外側に有することを特徴とする請求項１に記載の乳房摘出術後ブラジャー。
【請求項３】
前記左右対称のカップ部、これに縫着するアンダー部、カップ部上方部から背中側のアンダー部に縫着する肩帯部により肌に密着する面を平面に縫製され、縫い目の塊の無いことを特徴とする請求項１に記載の乳房摘出術後ブラジャー。
【請求項４】
乳房摘出術後ブラジャーの左右カップ部に装着する義乳房パッド。患部の傷みを伴わないよう外郭層は、柔軟性衣料生地からなり内面は、アクリル綿で柔らかく、胸の膨らみを再現する事と、喪失した重みをペレットで再現し、厚みのあるパッドを洗濯しても乾きやすくしたことを特徴とする義乳房パッド。
【考案の詳細な説明】
【技術分野】
【０００１】本考案は、乳癌等で乳房を摘出した患者の術痕の痛み、ドレーン術後の痛み脇の下のリンパの切除による不快感、麻痺感、しびれ感が残る脇部に違和感を発生させないことと、摘出した胸の代用となる義乳房パッドに関する。
【背景技術】
【０００２】癌の進行により乳がん手術の選択として、癌の部位のみを摘出する乳房温存と放射線照射術、乳房全摘出術と乳房全摘と脇の下のリンパ節の摘出術、摘出を行わない乳房を温存し放射線照射術の術式がある、その為、術後痕の肌の痛みを増幅させない下着づくりの技術が背景となる。【０００３】上記の術式を行った患者の退院後は左右の乳房のバランスが崩れ、胸の形や姿勢の偏り、術後の疼痛、放射線照射による火傷痕で痛みによる肉体的苦痛と女性の象徴である乳房を失った喪失感による精神的苦痛がある。【０００４】このような背景から、一般的なブラジャーやカップ付き下着では傷跡に触れて痛みが増す不具合が生じ、不快感のまま着用している患者が多い。【０００５】すなわち、前記術式により乳房を全摘した人と乳房温存した人の乳房の形、重さの違いがありブラジャーや下着の選択が狭まれている。【０００６】特許文献１の下着では摘出した胸部位置に６段階のサイズの義乳房パッドを収納するための複数個のポケットを構成し当該ポケットに大中小の義乳房パッドを必要な個所のポケットに収納して乳房の再現を図っている。【０００７】
【特許文献１】特開２００４−３３２１３４号
【考案の概要】
【考案が解決しようとする課題】
【０００８】しかし、上記特許文献１に記載のような下着では、パッドの選択と複数の収納個所を選択できるが、乳房の形重視の構成では患者の肉体的苦痛の問題は解決できない形成にある。【０００９】また、シリコン製のパッドは形の維持、重みを再現できるが通気性が無いことから蒸れる一因となる。【００１０】さらに、縫製することにより縫い目の塊が硬い芯となって患部を刺激し痛みを増幅する。
【課題を解決するための手段】
【００１１】そこで、本考案は、柔軟性衣料生地で患者一人ひとりの胸の形・大きさを選ばなくてもいいカップ部を構成し、患部に食い込まないよう帯状かつ伸縮性衣料生地でアンダー部と肩紐部を構成し、肌に密着する面を平面に縫製し、縫い目の塊が無く、通気性、速乾性のある柔軟性衣料生地で内部にアクリル綿で膨らみ、ペレットにより重みのある義乳房パッドを備え長時間の装着可能を手段とする。
【考案の効果】
【００１２】請求項１に係る本考案によると、左右対称のカップ部は摘出した乳房の形、膨らみ、重みの再現を併せ持ち柔軟性衣料生地で肌に違和感のない義乳房パッドを収納できる広口の横穴を有しパッドの挿入自在可能とし、柔軟性衣料生地でカップ部を形成することにより胸の患部に刺激や圧迫感を軽減するアンダー部と肩紐部を帯状の衣料生地で構成し、脇部にかかる生地をなくすことで肌に負担をかけないことから痛みや不快感を増幅せず、重みにより姿勢のバランスが保たれ、膨らみによる外観的に摘出したことがわからないように見せる効果がある。
【図面の簡単な説明】
【００１３】
【図１】本考案の乳房摘出術後ブラジャーの正面図である。
【図２】本考案の乳房摘出術後ブラジャーの背面図である。
【図３】本考案の義乳房パッド
【考案を実施するための形態】
【００１４】柔軟性衣料生地で義乳房パッドの収納を備え、挿入口を広く設けたカップ部と、カップ部の内部に柔軟性衣料生地とペレットで重み、アクリル綿で膨らみを兼ね備えた義乳房パッドからなり、術痕創部に圧迫感、不快感を軽減する為に布と布の繋ぎ目にできる縫製の塊を無くし、テンションが低い伸縮性と幅広くゆったりなるように、ゴムレースで内側を平面にする縫製し、肩紐部とアンダー部を縫製するとした形態。
【産業上の利用可能性】
【００１５】  現代社会では、乳がん患者数の増加傾向であることから、全摘された女性への需要が高まると考えられるとし、医療機関、下着メーカー、ネットによる利用可能性が期待できる。
【符号の説明】
【００１６】  Ａ  本体
ａ１  カップ部の表生地
ａ２  カップ部の表生地
ａ３  アンダーバスト部の伸縮性生地
ａ４  肩紐部の伸縮性生地
ａ５  スプリングフック掛金具
ａ６  スプリングフック受金具台生地
ａ７  スプリングフック受金具
ａ８  カップ部の裏生地
Ｂ  義乳房パッド
ｂ９  義乳房パッド表生地
ｂ１０  義乳房パッド裏生地
Ｃ  内容部
ｃ１１  ペレットを包む表生地
ｃ１２  ペレットを包む裏生地
ｃ１３  ペレット
ｃ１４  アクリル綿
【図１】
0003229523.tif 000003
【図２】
0003229523.tif 000004
【図３】
0003229523.tif 000005
【手続補正書】
【提出日】令和2年2月26日(2020.2.26)
【手続補正１】
【補正対象書類名】実用新案登録請求の範囲
【補正対象項目名】全文
【補正方法】変更
【補正の内容】
【実用新案登録請求の範囲】
【請求項１】
乳房摘出手術を受けた患者の、健全乳房と摘出された胸を覆う左右対称カップ部と、カップ部内部に義乳房パッドの収納を可能とし、左右カップ部外脇に装脱着を可能とした挿入口を兼ね備えたカップ部を特徴とする乳房摘出術後ブラジャー。
【請求項２】
前記左右対称のカップ部内面に前記義乳房パッドを収納し得る、ポケット挿入口を左右対称のカップ部の外側に有することを特徴とする請求項１に記載の乳房摘出術後ブラジャー。
【請求項３】
前記左右対称のカップ部下部に縫着するアンダー部、左右対称のカップ部上部から背中側のアンダー部に縫着する肩帯部により肌に密着する面を平面に縫製され、縫い目の塊の無いことを特徴とする請求項１に記載の乳房摘出術後ブラジャー。
【請求項４】
前記左右対称のカップ部に装着する義乳房パッドであり、患部の痛みを伴わないよう外層部は、柔軟性生地からなり内面は、アクリル綿で柔らかく、胸の膨らみを再現することと、喪失した重みをペレットで再現し、厚みのあるパッドを洗濯しても乾きやすくしたことを特徴とする義乳房パッドを備えた乳房摘出術後ブラジャー。
【手続補正書】
【提出日】令和2年6月11日(2020.6.11)
【手続補正１】
【補正対象書類名】実用新案登録請求の範囲
【補正対象項目名】全文
【補正方法】変更
【補正の内容】
【実用新案登録請求の範囲】
【請求項１】
乳房摘出手術を受けた患者の、健在乳房と摘出された胸の左右対称のカップ部、カップ部内面に義乳房パッドの収納可能と、装脱着を可能とした挿入口を兼ね備えたカップ部を特徴とする乳房摘出術後ブラジャー。
【請求項２】
前記左右対称のカップ部内面に前記義乳房パッドを収納し得る、ポケットを有することを特徴とする請求項１に記載の乳房摘出術後ブラジャー。
【請求項３】
前記左右対称のカップ部、これに縫着するアンダー部、カップ上方部から背中側のアンダー部に縫着する肩帯部により肌に密着する面を平面に縫製され、縫い目の塊の無いことを特徴とする請求項１に記載の乳房摘出術後ブラジャー。
【請求項４】
術後ブラジャーの左右カップ部に装着する義乳房パッド。患部の傷みを伴わないよう外郭層は柔軟性衣料生地からなり内面はアクリル綿で柔らかく胸の膨らみを再現する事と喪失した重みをペレットで再現し厚みのあるパッドを洗濯しても乾きやすくしたことを特徴とする義乳房パッドであることを特徴とする請求項１に記載の乳房摘出術後ブラジャー。
【手続補正書】
【提出日】令和2年8月25日(2020.8.25)
【手続補正１】
【補正対象書類名】実用新案登録請求の範囲
【補正対象項目名】全文
【補正方法】変更
【補正の内容】
【実用新案登録請求の範囲】
【請求項１】
乳房摘出手術を受けた患者の、健全乳房と摘出された胸を覆う左右対称カップ部と、カップ部内部に義乳房パッドの収納を可能とし、左右カップ部外脇に装脱着を可能とした挿入口を兼ね備えたカップ部を特徴とする乳房摘出術後ブラジャー。
【請求項２】
前記左右対称のカップ部内面に前記義乳房パッドを収納し得る、ポケット挿入口を左右対称のカップ部の外側に有することを特徴とする請求項１に記載の乳房摘出術後ブラジャー。
【請求項３】
前記左右対称のカップ部下部に縫着するアンダー部、左右対称のカップ部上部から背中側のアンダー部に縫着する肩帯部により肌に密着する面を平面に縫製され、縫い目の塊の無いことを特徴とする請求項１に記載の乳房摘出術後ブラジャー。
【請求項４】
乳房摘出術後ブラジャーの左右対象のカップ部に装着する義乳房パッドであって、患部の痛みを伴わないよう外郭層は、柔軟性衣料生地からなり、内面は、アクリル綿で柔らかく、胸の膨らみを再現する事と、喪失した重みをペレットで再現し、厚みのあるパッドを洗濯しても乾きやすくしたことを特徴とする義乳房パッドであることを特徴とする、請求項１に記載の乳房摘出術後ブラジャー。